(57)【要約】【課題】素早く箱状に組み立てることが可能で、収容した乳児の容態、コード又はチューブの取着状態の確認等を目視で確認することができ、コード又はチューブを纏まりよく通すことができるポジショニング用マットを提供する。【解決手段】乳児用ポジショニングマット１は、長方形に形成された底部１０と、底部１０の縁部の三方から壁状に立設された長手側壁部１１、１２及び短手側壁部１３と、短手側壁部１３正面側に配置された扉部１４と、扉部１４と長手側壁部１１及び長手側壁部１２に設けた係止具１５を備えている。係止具１５は、扉部１４の高さ方向の左右縁部に２本ずつ相互に間隔を開けて設けられ、先端が自由端となるように固着された面ファスナ（フック側）１５１と、長手側壁部１１、１２の各々に、扉部１４近傍の高さ方向に亘って設けた帯状の面ファスナ（ループ側）１５２の組み合わせからなる。【選択図】図１
2016198161.tif 000002
【特許請求の範囲】
【請求項１】
柔軟性およびクッション性を有する底部と、
柔軟性を有し、該底部の縁部から、開いた部分を形成するように壁状に立設されると共に、同壁状に立設された部分が一体になっており、同底部の上に重なるように折り畳み可能に構成された側壁部と、
柔軟性を有し、前記開いた部分を形成する前記底部または前記側壁部の縁部近傍にフラップ状に接続され、同開いた部分を閉塞可能に構成された扉部と、
該扉部が、閉塞された状態で前記側壁部に係止可能な係止具とを備える
乳児用ポジショニングマット。
【請求項２】
前記底部は、矩形に形成され、
前記側壁部は、前記壁状に立設された部分が底部の三方の縁部に立設されると共に、前記開いた部分は同底部に至っており、
前記扉部は、前記開いた部分を形成する前記底部の縁部に接続される構成である
請求項１に記載の乳児用ポジショニングマット。
【請求項３】
前記側壁部において前記開いた部分と正対する部分に、該部分に隣接する他の相対向する部分を前記底部方向へ折り畳めるように、折り曲げを助ける屈曲部が形成されている
請求項１または請求項２に記載のポジショニング用マット。
【請求項４】
前記係止具が面ファスナである
請求項１、請求項２または請求項３に記載のポジショニング用マット。
【請求項５】
少なくとも、前記側壁部と前記底部の境界部、または、前記扉部と同底部の境界部、または、同側壁部の一定の領域を区切る境界部、のいずれか一つ、または、複数が、同側壁部、同底部または同扉部よりも薄い厚さに形成されている
請求項１、請求項２、請求項３または請求項４に記載のポジショニング用マット。
【請求項６】
クッション性を有する底部と、
該底部から、開いた部分を形成するように壁状に立設されると共に、同壁状に立設された部分が一体になっており、同底部の上に重なるように折り畳み可能に構成された側壁部と、
前記開いた部分を形成する底部または側壁部の縁部近傍にフラップ状に接続され、同開いた部分を略閉塞可能な扉部と、
該扉部を、同扉部の縁部と前記側壁部の縁部の間に隙間を設けた状態で、同側壁部に係止可能な係止具とを備える
乳児用ポジショニングマット。
【発明の詳細な説明】
【技術分野】
【０００１】
本発明は、乳児用ポジショニングマットに関する。更に詳しくは、素早く箱状に組み立てることができると共に、収容された乳児の良肢位を保つことができ、かつ、同乳児に取り付けられたコードまたはチューブを通すことができるものに関する。
【背景技術】
【０００２】
経過観察する治療室等の医療現場において、早産児や低出生体重児、または何らかの疾患のある乳児（新生児を含む。以下同じ）を良肢位に保つと共に、保温するためのマットとして、例えば、下記特許文献１に記載されたものが開示されている。
【０００３】
図７および図８に示す特許文献１に記載されたポジショニング用マット９は、綿の入った布製のマットであり、平らに展開した初期状態（図７参照）で央面部９１に乳児Ｂ２を仰臥位、側臥位または腹臥位で載せ、囲い込み態様または包み込み態様で央面部９１に連結した３面の突片部である突片部Ａ９２と、突片部Ｂ９３と、突片部Ｃ９４を折り込んで、乳児Ｂ２を包みまたは覆い、突片部Ａ９２、突片部Ｂ９３および突片部Ｃ９４の表裏に縫着した面ファスナで各突片部を相互に連結して使用するものである。
【先行技術文献】
【特許文献】
【０００４】
【特許文献１】意匠公報第１１６２７４２号公報
【発明の概要】
【発明が解決しようとする課題】
【０００５】
ポジショニング用マット９は、前述の組立構造であるため、組立に若干の手間が掛かり、また、おむつ替え等の際には、毎回、各突片部を分解し、おむつ替え等の後に組み立て直す必要があるため、手間が掛かる。
【０００６】
また、ポジショニング用マット９は、突片部Ｃ９４が収容された乳児Ｂ２の上方を覆って保温性が良い反面、通常使用状態では、収容された乳児の容態や、足等の下半身に取り付けられたモニターのセンサー用コードのセンサー部分、点滴用のチューブ等（以下、単に「コードまたはチューブ」という）が取着部位等から外れていないかを確認する際に、直接目視することができず、突片部Ｃ９４を捲る等する必要がある。
【０００７】
本発明は、以上の点を鑑みて創案されたものであり、素早く箱状に組み立てることができると共に、収容された乳児の容態、コードまたはチューブの取着状態の確認などを目視で確認することができ、コードまたはチューブを纏まりよく通すことができるポジショニング用マットを提供することを目的とするものである。
【課題を解決するための手段】
【０００８】
上記の目的を達成するために、本発明の乳児用ポジショニングマットは、柔軟性およびクッション性を有する底部と、柔軟性を有し、該底部の縁部から、開いた部分を形成するように壁状に立設されると共に、同壁状に立設された部分が一体になっており、同底部の上に重なるように折り畳み可能に構成された側壁部と、柔軟性を有し、前記開いた部分を形成する前記底部または前記側壁部の縁部近傍にフラップ状に接続され、同開いた部分を閉塞可能に構成された扉部と、該扉部が、閉塞された状態で前記側壁部に係止可能な係止具とを備える。
【０００９】
ここで、本発明の乳児用ポジショニングマットは、扉部を閉じ、係止具を用いて側壁部に係止することにより、素早く箱状に組み立てることができ、組み立てられた同乳児用ポジショニングマットは、底部がクッション性を有するので、収容される乳児を良肢位に保持する。
【００１０】
更に、乳児用ポジショニングマットは上方が開口しており、収容される乳児を直接目視することができるため、乳児の全身の観察がしやすいと共に、乳児に取り付けられたコードのセンサー部分、チューブ等が取着部位等から外れていないかの確認作業もしやすい。
【００１１】
加えて、底部、扉部と側壁部は、柔軟性を有しているので、閉じた扉部と、同扉部と接する側壁部縁部または底部縁部は変形可能であり、閉じた扉部の縁部と、扉部の縁部と接する側壁部の縁部の間に、乳児に取り付けられたコードまたはチューブを通すと、当該部分が変形して隙間が生じる。この隙間に通されたコードまたはチューブは、当該部分において纏まるので、収容される乳児に絡んだり、看護者の邪魔になったりしにくく、加えて、見た目も良い。また、組立後の側壁部および扉部は、乳児の周囲を囲んで保護し、保温効果も奏する。
【００１２】
また、底部は、クッション性を有することによって、収容される乳児を、仰臥位、側臥位または腹臥位等のそれぞれにおいて、同乳児にとっての良肢位に、保持する。
【００１３】
更に、側壁部は、底部の縁部から壁状に立設されて一体になっていることで、所要の耐変形性を発揮し、力が加わらない限り、上方と側壁の一部が開口した略箱形を保つ。また、側壁部は、柔軟性を有し、底部の上に重なるように折り畳み可能に構成されているので、側壁部の側方から力を加えて畳んで嵩張りにくい形状となすことができる。また、側方の開いた部分は、乳児用ポジショニングマット内の空間と連通しており、例えば、乳児の足側を開いた部分側に位置させて収容すると、おむつ交換作業をする際は、扉部を開けるだけで、作業がしやすくなる。
【００１４】
更にまた、扉部は、側方の開いた部分を閉じると共に、係止具によって側壁部に係止することで、側壁と協働して所要の耐変形性を発揮し、乳児用ポジショニングマットを上方が開口した箱形に保持する。また、前述のように乳児を収容すると、扉部を開けるだけで、おむつ交換作業を行いやすい。また、扉部は、柔軟性を有し、底部の上に重なるように折り畳むことができる。
【００１５】
係止具は、扉部と側壁部を係止し、その際に、閉じた状態の扉部と側壁部の間に所要の隙間を生じさせ、この隙間にコードまたはチューブを通すことができる。
【００１６】
前記底部は、矩形に形成され、前記側壁部は、前記壁状に立設された部分が底部の三方の縁部に立設されると共に、前記開いた部分は同底部に至っており、前記扉部は、前記開いた部分を形成する前記底部の縁部に接続される構成である場合は、矩形の箱形となることから乳児用ポジショニングマット全体として耐変形性が向上する。また、底部の縁部に接続される扉部は、開いた部分が底部まで至っているため、開けた状態において扉部の内面側と底部の上面側が略面一となって引っ掛かりにくくなり、おむつ替えの作業等がしやすい。
【００１７】
前記側壁部において前記開いた部分と正対する部分に、該部分に隣接する他の相対向する部分を前記底部方向へ折り畳めるように、折り曲げを助ける屈曲部が形成されている場合は、同屈曲部をきっかけとして折り曲げやすくなり、同他の相対向する部分を前記底部方向へ折り畳みやすくなる。
【００１８】
前記係止具が面ファスナである場合は、乳児用ポジショニングマットの組立作業および扉体の開閉を、容易に、かつ、確実に行うことができる。また、面ファスナであれば、閉じた状態の扉部と側壁部の間に生じさせる所要の隙間の大きさの調整が行いやすく、通すコードまたはチューブの太さに応じた適当な間隔を保持させやすい。
【００１９】
少なくとも、前記側壁部と前記底部の境界部、または、前記扉部と同底部の境界部、または、同側壁部の一定の領域を区切る境界部、のいずれか一つ、または、複数が、同側壁部、同底部または同扉部よりも薄い厚さに形成されている場合は、薄い厚さに形成された境界部をきっかけとして折り曲げやすくなる。
【００２０】
上記の目的を達成するために、本発明の乳児用ポジショニングマットは、クッション性を有する底部と、該底部から、開いた部分を形成するように壁状に立設されると共に、同壁状に立設された部分が一体になっており、同底部の上に重なるように折り畳み可能に構成された側壁部と、前記開いた部分を形成する底部または側壁部の縁部近傍にフラップ状に接続され、同開いた部分を略閉塞可能な扉部と、該扉部を、同扉部の縁部と前記側壁部の縁部の間に隙間を設けた状態で、同側壁部に係止可能な係止具とを備える。
【００２１】
ここで、本発明の乳児用ポジショニングマットは、扉部を閉じ、係止具を用いて側壁部に係止することにより、素早く箱状に組み立てることができ、組み立てられた同乳児用ポジショニングマットは、底部がクッション性を有するので、収容される乳児を良肢位に保持する。加えて、閉じた扉部の周縁近傍に形成される所要の隙間に、乳児に取り付けられたコードまたはチューブを通すと、コードまたはチューブが纏まるので、収容される乳児に絡んだり、看護者の邪魔になったりしにくく、加えて、見た目も良い。また、組立後の側壁部および扉部は、乳児の周囲を囲んで保護し、保温効果も奏する。
【００２２】
また、底部は、柔軟性およびクッション性を有することによって、収容される乳児を、仰臥位、側臥位または腹臥位等の中から選択された同乳児にとっての良肢位に、保持する。
【００２３】
更に、側壁部は、底部から壁状に立設されて一体になっていることで、所要の耐変形性を発揮し、外力が加わらない限り、上方と側壁の一部が開口した略箱形を保つ。また、側壁部は、底部の上に重なるように折り畳み可能に構成されているので、側壁部を畳んで嵩張りにくい形状となすことができる。また、側方の開いた部分は、乳児用ポジショニングマット内の空間と連通しており、例えば、乳児の足側を開いた部分側に位置させて収容すると、おむつ交換作業をする際は、扉部を開けるだけで、作業がしやすくなる。
【００２４】
更にまた、扉部は、側方の開いた部分を閉じると共に、係止具によって側壁部に係止することで、側壁と協働して所要の耐変形性を発揮し、乳児用ポジショニングマットを上方が開口した箱形に保持する。また、前述のように乳児を収容すると、扉部を開けるだけで、おむつ交換作業を行いやすい。
【００２５】
係止具は、扉部と側壁部を係止し、その際に、閉じた扉部の周縁近傍に所要の隙間を生じさせ、この隙間にコードまたはチューブを通すことができる。
【発明の効果】
【００２６】
本発明に係るポジショニング用マットによれば、素早く箱状に組み立てることができると共に、収容された乳児の容態、コードまたはチューブの取着状態の確認などを目視で確認することができ、コードまたはチューブを纏まりよく通すことができるものを提供することができる。
【図面の簡単な説明】
【００２７】
【図１】本発明に係る乳児用ポジショニングマットを示し、扉部を開いた状態を実線で表し、扉部を閉じた状態を想像線で表した斜視説明図である。
【図２】図１に示す乳児用ポジショニングマットの折り畳み前後の状態を示しており、（ａ）は折り畳む前を表し、（ｂ）は折り畳んだ後を表した側面視説明図である。
【図３】図１に示す乳児用ポジショニングマットにおけるＡ―Ａ方向の断面図である。
【図４】図１に示す乳児用ポジショニングマットにおけるＢ―Ｂ方向の断面図である。
【図５】図１に示す乳児用ポジショニングマットの使用状態を示しており、乳児を収容し、経過観察中の状態を表した斜視説明図である。
【図６】本発明に係る乳児用ポジショニングマットの変形例を示し、扉部を開いた状態を実線で表し、扉部を閉じた状態を想像線で表した斜視説明図である。
【図７】従来のポジショニング用マットの組立前平面図である。
【図８】従来のポジショニング用マットの組立後の使用状態を示した説明図である。
【発明を実施するための形態】
【００２８】
図１ないし図５を参照して、本発明の実施の形態を更に詳細に説明する。なお、各図における符号は、煩雑さを軽減し理解を容易にする範囲内で付している。また、以下で述べる用語「長手側壁部」および「短手側壁部」は先に述べた「側壁部」と、用語「開口部」は先に述べた「開いた部分」と、それぞれ同等の意味で使用している。
【００２９】
（乳児用ポジショニングマット１）
乳児用ポジショニングマット１は、図５に示すように乳児Ｂ１を収容するものであり、長方形に形成された底部１０と、底部１０の縁部の三方から壁状に立設された長手側壁部１１、長手側壁部１２および短手側壁部１３と、短手側壁部１３正面側に配置された扉部１４と、扉部１４と長手側壁部１１および長手側壁部１２に設けられた係止具１５を備えている。
【００３０】
長手側壁部１１、長手側壁部１２および短手側壁部１３は、長手側壁部１１と短手側壁部１３の接する箇所（高さ方向辺部）が接続しており、長手側壁部１２と短手側壁部１３の接する箇所（高さ方向辺部）が接続している。即ち、長手側壁部１１、長手側壁部１２および短手側壁部１３が側壁として一体に構成されている。
【００３１】
短手側壁部１３と正対する開口部は、扉部１４を閉じていない状態において、その幅が底部１０の短辺側の縁部と同じであり、その高さが長手側壁部１１、１２と同じである。
【００３２】
短手側壁部１３には、隣接する長手側壁部１１、１２を底部１０方向（即ち、図２（ａ）の矢印の方向）へ折り畳めるように、折り曲げを助ける屈曲部１３２が形成されている。屈曲部１３２は、左右対称に設けられており、短手側壁部１３における底部１０側の角側から上方に向かって徐々に幅が狭くなっており、屈曲部１３２の上方端は、短手側壁部１３の上方側縁部において所要の間隔が空くように到達している（図２（ａ）参照）。
【００３３】
扉部１４は、フラップ状になるように、下方の縁部が底部１０の短辺側の縁部に接続されている。また、扉部１４のサイズは、その幅が底部１０の短辺側の縁部と同じであり、その高さが長手側壁１１、１２と同じである。
【００３４】
長手側壁部１１、１２は、乳児用ポジショニングマット１内部に形成される空間の中央側方向に向かって徐々に幅が狭まる形状の縦断面視略台形のクッション材１１１、１２１を、柔らかい布製の表面材１１３、１２３で覆って形成されている（図３参照）。
【００３５】
底部１０と扉部１４は、乳児用ポジショニングマット１の上方向に向かって徐々に幅が狭まる形状の縦断面視略台形のクッション材１０１、１４１を、柔らかい布製の表面材１０３、１４３で覆って形成されている（図３、図４参照）。
【００３６】
短手側壁部１３は、柔らかい布製の表面材１３３が表裏重なって形成されており、他の側壁部と異なり、クッション材を内包していない。
【００３７】
長手側壁部１１と短手側壁部１３の境界部、長手側壁部１１と底部１０の境界部、長手側壁部１２と短手側壁部１３の境界部、長手側壁部１１と底部１０の境界部、短手側壁部１３と底部１０の境界部、扉部１４と底部１０の境界部は、各々、底部１０、長手側壁部１１、１２、短手側壁部１３または扉部１４よりも薄い厚さに形成されている（図３、図４参照）。
【００３８】
扉部１４の上部および側部の縁部と、長手側壁部１１、１２の上部および扉部１４側の側部の縁部と、短手側壁部１３の上部の縁部には、パイピング部１６が設けられている。パイピング部１６は赤色である。
【００３９】
係止具１５は、面ファスナであって、扉部１４の高さ方向の左右縁部に２本ずつ相互に間隔を開けて設けられ、先端が自由端となるように固着された面ファスナ（フック側）１５１と、長手側壁部１１、１２の各々に、扉部１４近傍の高さ方向に亘って設けられた帯状の面ファスナ（ループ側）１５２の組み合わせからなるものである。
【００４０】
本実施形態において、底部１０は、長方形に形成しているが、これに限定するものではなく、例えば、正方形であってもよいし、円形あるいは長円形等の各種形状であってもよい。なお、底部が円形あるいは長円形等である場合、その縁部から立設する側壁部には高さ方向に亘って生じる境界部（矩形の場合は角部となる箇所）がないため、側壁部の幅方向のいずれかの箇所に、同側壁部の一定の領域を区切る境界部を形成し、同側壁部よりも薄い厚さに形成することで、同側壁部を底部の上に折り畳めるように構成してもよい。
【００４１】
本実施形態において、底部のクッション材１０１はポリエステルわたで形成されており、長手側壁部のクッション材１１１、１２１および扉部のクッション材１４１はウレタンで形成されているが、これに限定するものではなく、例えば、発泡ビーズや綿わた、連続気泡を有する合成樹脂の発泡体、不織布の積層体等で形成してもよく、低出生体重児（未熟児）をポジショニングすることを鑑みて、形が崩れにくく、しかも、極端に沈み込まない程度のクッション性を有すると共に、肌触りが柔らかい（通常出産児の乳児よりも肌の表皮が薄いため）素材であることが好ましい。
【００４２】
本実施形態において、長手側壁部１１、１２、短手側壁部１３、扉部１４は、前述の通り柔軟性を有する素材で形成されているが、これに限定するものではなく、例えば、乳児を良肢位に保つ底部以外の部分については、硬質ポリウレタンフォーム等の硬質素材で形成してもよいし、硬質素材と軟質素材を組み合わせたもので形成してもよい。但し、この場合、側壁部や扉部等に柔軟性が無いため、コード類を通すための隙間が生じうる形状または構造を採用することが好ましい。
【００４３】
本実施形態において、各表面材１０３、１１３、１２３、１３３、１４３は、乳児用ポジショニングマット１を組み立てた際に、内側となる部分が綿ベロアであり、外側はスムースであるが、これに限定するものではなく、例えば、ガーゼ、フライス、スムース、パイル、天竺であってもよいし、その他、肌触りが柔らかく、低刺激な素材であれば、公知の織物全般あるいは編み物全般を採用することもできる。また、乳児用ポジショニングマット１の内外面を同一の素材により形成してもよい。
【００４４】
本実施形態では、パイピング部１６の色は赤であるが、これに限定するものではなく、例えば、本体部と異なる他の色であってもよいし、本体部と同じ色であってもよいし、透明あるいは模様を付したものであってもよい。また、乳児用ポジショニングマット１のサイズ毎に、パイピング部１６の色を変えることで、サイズが一見して分かるため便利であり、例えば、赤（体重１０００ｇ以下の乳児用の小サイズ）、紺（体重１０００〜２０００ｇ以下の乳児用の中サイズ）、白（体重２０００ｇ以上の乳児用の大サイズ）のように分けてもよい。
【００４５】
本実施形態において、係止具は面ファスナを採用しているが、これに限定するものではなく、例えば、フック、ボタン、紐体あるいは乳（紐などを通すために付けた小さな輪）等の公知手段、または、これらを向き合わせたものであってもよい。
【００４６】
（乳児用ポジショニングマット１の使用方法）
以下、主に図５を参照して、上記の様に構成された乳児用ポジショニングマット１の使用方法について説明する。
【００４７】
（１）使用前の乳児用ポジショニングマット１は、図２（ｂ）に示すように、畳んでおけば、嵩張らずに保管できる。
【００４８】
（２）使用の際には、乳児用ポジショニングマット１を図２（ａ）に示す矢印と反対の方向へ長手側壁部１１、１２を立ち上げると、畳まれていた短手側壁部１３も立ち上がった状態となり、図１に示すように、乳児用ポジショニングマット１の上方および扉部１４が設けられた側の側壁が開口した略箱状になる。
【００４９】
そして、乳児Ｂ１を乳児用ポジショニングマット１の内部に形成された空間へ収容する。このとき、乳児Ｂ１は、扉部１４側に足が向くように収容すると、おむつ交換作業をする際は、扉部１４を開けるだけで、作業がしやすくなる。
【００５０】
乳児Ｂ１を乳児用ポジショニングマット１内に収容する前、または、乳児Ｂ１を乳児用ポジショニングマット１内に収容した後に、扉部１４を立ち上げて、面ファスナ（フック側）１５１を面ファスナ（ループ側）１５２へ貼り付けて、扉部１４が接続された部分の開口部を閉じる。これにより、上方のみが開口した箱状の乳児用ポジショニングマット１となり、経過観察する治療室等の医療現場において、早産児や低出生体重児、または何らかの疾患のある乳児を良肢位に保つことができると共に、保温効果も奏する。
【００５１】
なお、図５に示すように、乳児Ｂ１には、モニターのセンサー用コード、点滴用のチューブが取り付けられており、同コードおよび同チューブは、閉じた扉部１４と長手側壁部１１、１２が接した部分に形成された隙間１７を通じて、乳児用ポジショニングマット１の外へ導出することができる。これにより、コード類がひとまとめにできるので、収容された乳児に絡みにくく、見た目のまとまりもよい。
【００５２】
また、乳児用ポジショニングマット１は、先に述べた従来のポジショニング用マット９と比較して、製造工程が少なく、また、形状および構造の点から布地やクッション材の歩留まりが良いため、製造コストを抑えることができる。
【００５３】
本実施形態においては、係止具１５が面ファスナ（フック側）１５１および面ファスナ（ループ側）１５２の組み合わせであるので、隙間１７の大きさの調整が行いやすく、コード類の量や太さ等を勘案して、適当な大きさの隙間１７が形成されるようにすることができ、また、乳児用ポジショニングマット１の組立作業および扉体１４の開閉を、容易に、かつ、確実に行うことができる。
【００５４】
図５に示すように、乳児用ポジショニングマット１は上方が開口しており、中の乳児Ｂ１を直接目視することができるため、乳児Ｂ１の全身の観察がしやすいと共に、乳児Ｂ１に取り付けられたモニターのセンサー用コードのセンサー部分、点滴用のチューブ等が取着部位等から外れていないかの確認作業もしやすい。
【００５５】
（３）使用後の乳児用ポジショニングマット１は、洗濯あるいは消毒した後、図２（ａ）に示す矢印の方向に外力を加え、図２（ｂ）に示すように畳んでおけば、嵩張らずに保管できる。
【００５６】
なお、本実施形態において、乳児用ポジショニングマット１は、主に、早産児や低出生体重児、または何らかの疾患のある乳児であって、経過観察を要する場合に利用されるが、これに限定するものではなく、例えば、通常月齢で生まれた健常乳児に使用することを除外するものではなく、また、この場合、出産後の母親が居る通常の病室で、あるいは、家庭で、簡易的なベビーベッドとして使用してもよい。
【００５７】
〔変形例〕
（乳児用ポジショニングマット２）
図６には、乳児用ポジショニングマット１の変形例を示している。以下で説明する乳児用ポジショニングマット２の構成は、長手側壁部が扉部となっている点、長手側壁部および短手側壁部の各々がクッション材を内包している構造である点、が乳児用ポジショニングマット１と相違している。なお、第１実施形態のコーティング構造体１と同様の構成については説明を省略し、同一の符号を付している。
【００５８】
乳児用ポジショニングマット２は、長方形に形成された底部２０と、底部２０の縁部の三方から壁状に立設された長手側壁部２１と、短手側壁部２２および短手側壁部２３と、長手側壁部２１正面側に配置された扉部２４と、扉部２４と短手側壁部２２、２３に設けられた係止具１５を備えている。
【００５９】
長手側壁部２１、短手側壁部２２および短手側壁部２３は、長手側壁部２１と短手側壁部２２の接する箇所（高さ方向辺部）が接続しており、長手側壁部２１と短手側壁部２３の接する箇所（高さ方向辺部）が接続している。即ち、長手側壁部２１、短手側壁部２２、２３が側壁として一体に構成されている。
【００６０】
長手側壁部２１と正対する開口部は、扉部２４を閉じていない状態において、その幅が底部２０の長辺側の縁部と同じであり、その高さが短手側壁部２２、２３と同じである。
【００６１】
扉部２４は、下方の縁部が底部２０の長辺側の縁部にフラップ状に接続されている。また、扉部２４のサイズは、その幅が底部２０の長辺側の縁部と同じであり、その高さが短手側壁２２、２３と同じである。
【００６２】
長手側壁部２１と短手側壁部２２、２３は、乳児用ポジショニングマット２内部に形成される空間の中央側方向に向かって徐々に幅が狭まる形状の縦断面視略台形のクッション材（図示省略）を、柔らかい布製の表面材（符号省略）で覆って形成されている。また、底部２０と扉部２４は、乳児用ポジショニングマット１の上方向に向かって徐々に幅が狭まる形状の縦断面視略台形のクッション材（図示省略）を、柔らかい布製の表面材（符号省略）で覆って形成されている。
【００６３】
長手側壁部２１と短手側壁部２２、２３の境界部、長手側壁部２１と底部２０の境界部、短手側壁部２２、２３と底部２０の境界部、扉部２４と底部２０の境界部は、各々、底部２０、長手側壁部２１、短手側壁部２２、２３または扉部２４よりも薄い厚さに形成されている（扉部２４と底部２０の境界部を除き、図示省略）。
【００６４】
扉部２４の上部および側部の縁部と、短手側壁部２２、２３の上部および扉部２４側の側部の縁部と、長手側壁部２１の上部の縁部には、パイピング部１６が設けられている。
【００６５】
係止具１５は、面ファスナであって、扉部２４の高さ方向の左右縁部に２本ずつ相互に間隔を開けて設けられ、先端が自由端となるように固着された面ファスナ（フック側）１５１と、短手側壁部２２、２３の各々に、扉部２４近傍の高さ方向に亘って設けられた帯状の面ファスナ（ループ側）１５２の組み合わせからなるものである。
【００６６】
本変形例においては、長手側壁部２１はクッション材を内包して肉厚に形成されているが、これに限定するものではなく、例えば、乳児用ポジショニングマット１の短手側壁部１３と同様に厚みを薄く形成しても良いし、併せて、屈曲部を設けて、折り畳みやすい構造としてもよい。
【００６７】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。更にまた、第１、第２などの言葉は、等級や重要度を意味するものではなく、一つの要素を他の要素から区別するために使用したものである。
【符号の説明】
【００６８】
１    乳児用ポジショニングマット
Ｂ１、Ｂ２    乳児
１０    底部
１０１    クッション材
１０３    表面材
１１    長手側壁部
１１１    クッション材
１１３    表面材
１２    長手側壁部
１２１    クッション材
１２３    表面材
１３    短手側壁部
１３２    屈曲部
１３３    表面材
１４    扉部
１４１    クッション材
１４３    表面材
１５    係止具
１５１    面ファスナ（フック側）
１５２    面ファスナ（ループ側）
１６    パイピング
１７    隙間
２    乳児用ポジショニングマット
２０    底部
２１    長手側壁部
２２    短手側壁部
２３    短手側壁部
２４    扉部
９    ポジショニング用マット
９１    央面部
Ｂ２    乳児
９２    突片部Ａ
９３    突片部Ｂ
９４    突片部Ｃ
【図１】
2016198161.tif 000003
【図２】
2016198161.tif 000004
【図３】
2016198161.tif 000005
【図４】
2016198161.tif 000006
【図５】
2016198161.tif 000007
【図６】
2016198161.tif 000008
【図７】
2016198161.tif 000009
【図８】
2016198161.tif 000010